(57)【要約】【課題】ディスク媒体の記録面を傷つけることなく、該ディスク媒体を正確にローディングし、かつトリガーアームの変形を防止すること。【解決手段】ディスク装置に挿入されるディスク媒体Ａを再生位置まで搬送するディスク装置のディスクローディング機構において、クランプアーム１５と、トリガーアーム１７とを備え、トリガーアーム１７は、クランプアーム１５に形成される被係合部３１ａと係合する係合部３８ｂを有し、トリガーアーム１７はクランプアーム１５に対して隙間Ｈを有した状態で回動可能に軸支され、トリガーアーム１７とクランプアーム１５との間に配設される付勢部材３７の付勢力に抗してトリガーアーム１７を回動させてディスク媒体Ａを搬送させると、トリガーアーム１７が付勢部材３７の付勢力によって隙間Ｈを埋める方向にスライドすることで、トリガーアーム１７の係合部３８ｂがクランプアーム１５の被係合部３１ａに係合することを特徴とする。【選択図】図３
2010176758.tif 000002
【特許請求の範囲】
【請求項１】
ディスク装置に挿入されるディスク媒体を再生位置まで搬送するディスク装置のディスクローディング機構において、
再生位置に搬送された上記ディスク媒体を押圧するクランプアームと、
上記クランプアームに、上記ディスク媒体の挿入方向および排出方向に回動可能に取り付けられるトリガーアームと、
を備え、
上記トリガーアームは、上記クランプアームに形成される被係合部と係合する係合部を有し、上記トリガーアームは上記クランプアームに対して隙間を有した状態で回動可能に軸支されると共に、上記トリガーアームと上記クランプアームとの間には、上記隙間を埋める方向に付勢力を作用させる付勢部材が配設され、上記付勢部材の付勢力に抗して上記トリガーアームを回動させて上記ディスク媒体を上記再生位置まで搬送させると、上記トリガーアームが上記付勢部材の付勢力によって上記隙間を埋める方向にスライドすることで、上記トリガーアームの上記係合部が上記クランプアームの上記被係合部に係合し、上記トリガーアームの回動がロックされることを特徴とするディスク装置のディスクローディング機構。
【請求項２】
請求項１記載のディスク装置のディスクローディング機構において、前記被係合部は、前記トリガーアームの回動支点を中心とした円弧状の形態を有する円弧孔の内周側の領域に形成されており、該内周側の領域には上記回動支点に向かって段差状に切り欠かれた段差部が形成され、前記係合部が前記段差部に引っ掛かることにより前記トリガーアームの回動がロックされることを特徴とするディスク装置のディスクローディング機構。
【請求項３】
請求項１または２記載のディスク装置のディスクローディング機構において、前記トリガーアームは前記ディスク装置の底面側に向かって突出するロッドを有しており、該ロッドには、前記ディスク媒体の搬送時の回動方向とは逆方向に前記トリガーアームを押圧するトリガースライダが接離するように構成されており、前記トリガースライダが上記ロッドから離間して、該ロッドが上記トリガースライダからの押圧力から解放されると、前記付勢部材の付勢力が作用して前記トリガーアームが前記隙間を埋める方向にスライドし、前記係合部が前記被係合部に係合することを特徴とするディスク装置のディスクローディング機構。
【請求項４】
請求項３記載のディスク装置のディスクローディング機構において、前記トリガースライダはクランプ時に前記ロッドから離間することを特徴とするディスク装置のディスクローディング機構。
【発明の詳細な説明】
【技術分野】
【０００１】
本発明は、ディスク装置のディスクローディング機構に関する。
【背景技術】
【０００２】
従来から、車載用ディスクプレーヤ等のディスク装置では、小径のディスク媒体である８ｃｍＣＤおよび大径のディスク媒体である１２ｃｍＣＤの双方をスロットから挿入した際に、これらのディスク媒体を再生位置までローディングするディスクローディング機構が採用されている。
【０００３】
このようなディスクローディング機構では、８ｃｍＣＤと１２ｃｍＣＤのそれぞれを再生位置にて位置決めするために、トリガーアームと呼ばれる部品が採用されている。特許文献１には、トリガーアームに対応するディスクエンド検知レバーを用いて、ディスク媒体を再生位置までローディングするディスクローディング機構が開示されている。
【先行技術文献】
【特許文献】
【０００４】
【特許文献１】特開２０００−１１３５４６号公報（図９〜図１１）
【発明の概要】
【発明が解決しようとする課題】
【０００５】
特許文献１に開示されているディスクローディング機構では、ディスク媒体が再生位置までローディグされた状態では、ディスクエンド検知レバーの一部がディスク媒体の下側（記録面側）に入り込んでいる。このため、ディスク媒体に傷がつくおそれがある。
【０００６】
また、高温環境下においてディスク装置を長時間使用すると、ディスクエンド検知レバーがクリープ変形してローディングの際にガタツキが発生するといった問題が生じる。さらに、ディスク媒体の下側にディスクエンド検知レバーが入り込んだ状態となるため、ディスクエンド検知レバーをディスク媒体から離す際に、ディスクエンド検知レバーが押圧力や変形から解放されて、異音を発生するおそれがある。また、ディスクエンド検知レバーは、ロックスライダーによって位置決めされるため、ロックスライダーの位置決め精度が低下すると、ディスクエンド検知レバーによるディスク媒体のローディング位置にバラツキが生じてしまう。
【０００７】
本発明は、かかる問題に鑑みてなされたものであり、その目的とするところは、ディスク媒体の記録面を傷つけることなく、該ディスク媒体を正確にローディングし、かつトリガーアームの変形を防止することができるディスク装置のディスクローディング機構を提供しようとするものである。
【課題を解決するための手段】
【０００８】
上記課題を解決するために、本発明の一側面は、ディスク装置に挿入されるディスク媒体を再生位置まで搬送するディスク装置のディスクローディング機構において、再生位置に搬送されたディスク媒体を押圧するクランプアームと、クランプアームに、ディスク媒体の挿入方向および排出方向に回動可能に取り付けられるトリガーアームと、を備え、トリガーアームは、クランプアームに形成される被係合部と係合する係合部を有し、トリガーアームはクランプアームに対して隙間を有した状態で回動可能に軸支されると共に、トリガーアームとクランプアームとの間には、隙間を埋める方向に付勢力を作用させる付勢部材が配設され、付勢部材の付勢力に抗してトリガーアームを回動させてディスク媒体を再生位置まで搬送させると、トリガーアームが付勢部材の付勢力によって隙間を埋める方向にスライドすることで、トリガーアームの係合部がクランプアームの被係合部に係合し、トリガーアームの回動がロックされるものである。
【０００９】
また、被係合部は、トリガーアームの回動支点を中心とした円弧状の形態を有する円弧孔の内周側の領域に形成されており、該内周側の領域には回動支点に向かって段差状に切り欠かれた段差部が形成され、係合部が段差部に引っ掛かることによりトリガーアームの回動がロックされるものとするのが好ましい。
【００１０】
また、トリガーアームはディスク装置の底面側に向かって突出するロッドを有しており、該ロッドには、ディスク媒体の搬送時の回動方向とは逆方向にトリガーアームを押圧するトリガースライダが接離するように構成されており、トリガースライダがロッドから離間して、該ロッドがトリガースライダからの押圧力から解放されると、付勢部材の付勢力が作用してトリガーアームが隙間を埋める方向にスライドし、係合部が被係合部に係合するものとするのが好ましい。
【００１１】
また、トリガースライダはクランプ時にロッドから離間するものとするのが好ましい。
【発明の効果】
【００１２】
本発明によると、ディスク媒体の記録面を傷つけることなく、該ディスク媒体を正確にローディングし、かつトリガーアームの変形を防止することができる。
【図面の簡単な説明】
【００１３】
【図１】本発明の一実施の形態に係るディスク装置のメカ機構部の斜視図である。
【図２】図１のディスク装置を左右が逆になるように裏返した状態を示す斜視図である。
【図３】図１中のクランプアームを左右が逆になるように裏返した状態を示す底面図である。
【図４】図１中の一点鎖線Ａで囲んだ部分を拡大した図であり、光ディスクを挿入する前の状態を示す図である。
【図５】図３中の一点鎖線Ｂで囲んだ部分を拡大した図であり、光ディスクを挿入する前の状態を示す図である。
【図６】図１中の一点鎖線Ａで囲んだ部分を拡大した図であり、光ディスクが挿入された後の状態を示す図である。
【図７】図３中の一点鎖線Ｂで囲んだ部分を拡大した図であり、光ディスクが挿入された後の状態を示す図である。
【図８】図２中の一点鎖線Ｃで囲んだ部分を拡大した図であり、トリガースライダがロッドに当接している状態を示す図である。
【図９】図２中の一点鎖線Ｃで囲んだ部分を拡大した図であり、トリガースライダがロッドとの当接から解放されている状態を示す図である。
【図１０】図１中のトリガーアームの動作を表側から見た状態で説明するための図であり、実線は光ディスクを挿入する前のトリガーアームの状態を示す図であり、二点鎖線はトリガーアームがクランプアームに対してロックされた状態を示す図である。
【図１１】図３中のトリガーアームの動作を裏側から見た状態で説明するための図であり、実線は光ディスクを挿入する前のトリガーアームの状態を示す図であり、二点鎖線はトリガーアームがクランプアームに対してロックされた状態を示す図である。
【図１２】図２中のトリガースライダの動作を説明するための図であり、実線は光ディスクを挿入する前のトリガースライダの状態を示す図であり、二点鎖線はトリガーアームがクランプアームに対してロックされた際のトリガースライダの状態を示す図である。
【発明を実施するための形態】
【００１４】
以下、本発明の一実施の形態に係るディスク装置１のディスクローディング機構１２について、図面を参照しながら説明する。このディスク装置１は再生装置とされているが、記録装置や記録再生装置としても良い。なお、以下の説明において、図１〜図１２に示す矢示Ｘ１方向を前方、矢示Ｘ２方向を後方、このＸ１方向とＸ２方向と水平方向で直交する方向となる矢示Ｙ１方向を左方、矢示Ｙ２方向を右方、このＸＹ平面と直交する方向の矢示Ｚ１方向を上方および矢示Ｚ２方向を下方とそれぞれ規定する。また、図４および図５における時計方向を時計方向と、反時計方向を反時計方向と規定する。
【００１５】
図１は、本発明の一実施の形態に係るディスク装置１のメカ機構部の斜視図である。図２は、図１のディスク装置１を左右が逆になるように裏返した状態を示す斜視図である。
【００１６】
図１に示すように、ディスク装置１は、ディスク媒体であるＣＤ、ＤＶＤなどの光ディスクＡを再生するスロットイン方式のディスク再生装置である。このディスク装置１は上方が開口した略枠状の形態を有するシャーシ２と、該シャーシ２の内部に備えられ、光ディスクＡに記録されている情報を読み取り、再生する再生デッキ３とを有している。シャーシ２には、光ディスクＡを挿入または排出するためのスロット４が設けられている。スロット４は横長の略矩形状の形態を有しており、その長手方向の口径は挿入される光ディスクＡの直径に対応するように形成されている。このスロット４に挿入される光ディスクＡは、後述するディスクローディング機構１２によって再生位置までローディングされる。なお、光ディスクＡは、後述するディスクガイド５によって保持されながら再生デッキ３のクランプ位置まで搬送される。なお、光ディスクＡの代わりに磁気ディスク等の他の種類のディスク媒体を挿入するようにしても良い。
【００１７】
図１に示すように、シャーシ２は、上方が開口した開口領域６を有する。このシャーシ２は、左右両端から下方に向かって立ち下がる左壁部７ａおよび右壁部７ｂを有する。また、シャーシ２は、その後端から下方に向かって立ち下がる後壁部８および前方に設けられる前壁部９を有する。
【００１８】
図１に示すように、再生デッキ３は、シャーシ２の開口領域６内に配置される。再生デッキ３は、シャーシ２との間に弾性部材となるつる巻バネ１１を引っ掛けることによって、シャーシ２に対して位置保持される。具体的には、つる巻バネ１１は、再生デッキ３における四隅近傍の４箇所に引っ掛けられる。
【００１９】
再生デッキ３は、スロット４に挿入された光ディスクＡのローディングを行うディスクローディング機構１２を備えている。ディスクローディング機構１２は、スロット４に挿入された光ディスクＡを不図示の送りローラとで狭持しながらクランプ位置まで案内するディスクガイド５と、クランプ位置まで搬送されてきた光ディスクＡが載置されるターンテーブル１４と、モータ１３（図２参照）と電気的に接続され、光ディスクＡをターンテーブル１４側に向かって押圧するクランプアーム１５と、クランプアーム１５の先端に設けられ、光ディスクＡを押圧してターンテーブル１４に装着させるクランパ１６と、例えば、８ｃｍ等の径を有する光ディスクＡを、クランプ位置に位置決めするトリガーアーム１７と、再生デッキ３の裏側に配置され、前後方向に移動するトリガースライダ１８（図２参照）を有する。
【００２０】
図１に示すように、ディスクガイド５は、再生デッキ３の上方かつ前方に配置されている。このディスクガイド５は略平板状の形態を有しており、その下側を通過する光ディスクＡを安定した状態でクランプ位置まで案内する。上述したように、ディスクガイド５の下方には、不図示の送りローラが配設されており、スロット４に挿入された光ディスクＡを不図示の送りローラとディスクガイド５とで狭持しながらクランプ位置まで案内する。
【００２１】
ターンテーブル１４は略円盤状の形態を有しており、再生デッキ３の略中央に配設されている。ターンテーブル１４はその中心軸を中心として周方向に回転可能となっている。このターンテーブル１４には、再生デッキ３の略中央まで搬送された光ディスクＡが装着される。具来的には、ターンテーブル１４の外側に光ディスクＡの中央に設けられている円形孔が嵌まることによって光ディスクＡがターンテーブル１４に装着される。ターンテーブル１４に装着された光ディスクＡは、ターンテーブル１４と共に再生デッキ３内で回転する。
【００２２】
図１に示すように、クランプアーム１５は再生デッキ３の中央かつ後方に配設されている。このクランプアーム１５の中央かつ前方には、光ディスクＡを押圧してターンテーブル１４に装着させるためのクランパ１６が取り付けられている。また、図１に示すように、クランプアーム１５における左斜め後方の位置にはトリガーアーム１７が上から見て周方向に回動可能に取り付けられている。クランプアーム１５は、その後端部分におけるＹ１Ｙ２方向を軸として回動自在に軸支されている。すなわち、クランパ１６はＹ１Ｙ２方向に沿った軸を中心として上下に傾くことが可能である。
【００２３】
クランプアーム１５は、略台形形状を有すると共に、その略中央には窓部１０が設けられている。また、図１に示すように、クランプアーム１５における後方の左右両端部には、シャーシ２との間に配設されるつる巻バネ１１，１１の一端が引っ掛けられている。このつる巻バネ１１，１１によって、クランプアーム１５は、シャーシ２に対して位置保持された状態となっている。
【００２４】
また、図１に示すように、再生デッキ３の左右両側には、前後方向にスライド可能な左スライド部材４５および右スライド部材４６がそれぞれ配設されている。当該左スライド部材４５および右スライド部材４６は、不図示の駆動機構によって駆動されることにより、再生デッキ３に対して所定量だけ前後方向に向かってスライドする。これらスライド部材４５，４６には、上方に向かって一段高くなるような略段差状に突出する不図示の凸段部が前方から後方に向かって所定の間隔を隔てて複数設けられている。なお、トリガースライダ１８は左スライド部材４５の動作に連動して移動する。
【００２５】
本実施の形態では、光ディスクＡを搬入および搬出する際には、左スライド部材４５が最も後方の位置まで移動し、右スライド部材４６が最も前方の位置まで移動するように設定されている。具体的には、光ディスクＡを搬入および搬出する際には、左スライド部材４５が最も後方の位置まで移動することで、後述するクランプアーム１５の左折曲部２４（図３参照）が左スライド部材４５の不図示の凸段部に乗り上がると共に、右スライド部材４６が最も前方の位置まで移動することで、後述するクランプアーム１５の右折曲部２６（図３参照）が右スライド部材４６の不図示の凸段部に乗り上がった状態となる。このため、光ディスクＡを搬入および搬出する際には、クランプアーム１５のクランパ１６は上方に上がった状態で維持される。
【００２６】
一方、光ディスクＡがクランプ位置まで搬入され、光ディスクＡを記録・再生する際には、左スライド部材４５が最も前方の位置まで移動し、右スライド部材４６が最も後方の位置まで移動するように設定されている。具体的には、光ディスクＡを記録・再生する際には、左スライド部材４５が最も前方の位置まで移動することで、後述するクランプアーム１５の左折曲部２４（図３参照）が左スライド部材４５の不図示の凸段部から降下して低い位置に存在すると共に、右スライド部材４６が最も後方の位置まで移動することで、後述するクランプアーム１５の右折曲部２６（図３参照）が右スライド部材４６の不図示の凸段部から降下して低い位置に存在する。このため、光ディスクＡを記録・再生する際には、クランプアーム１５のクランパ１６が光ディスクＡをターンテーブル１４に押圧した状態が維持される。
【００２７】
図３は、図１中のクランプアーム１５を左右が逆になるように裏返した状態を示す底面図である。図４は、図１中の一点鎖線Ａで囲んだ部分を拡大した図であり、光ディスクＡを挿入する前の状態を示す図である。図５は、図３中の一点鎖線Ｂで囲んだ部分を拡大した図であり、光ディスクＡを挿入する前の状態を示す図である。図６は、図１中の一点鎖線Ａで囲んだ部分を拡大した図であり、光ディスクＡが挿入された後の状態を示す図である。図７は、図３中の一点鎖線Ｂで囲んだ部分を拡大した図であり、光ディスクＡが挿入された後の状態を示す図である。
【００２８】
上述したように、クランプアーム１５は略台形形状を有している。また、図３に示すように、窓部１０もクランプアーム１５とは前後が逆向きとなる略台形形状を有している。窓部１０の後端部からは前方に向かって細長状の細長延出部２０が延出している。さらに、窓部１０の左前方には、後方に向かって鉤状に突出した引掛部１９が形成されている（図３および図４等参照）。クランプアーム１５における後端側の左右両端部には、下方に向かって延出する略半楕円状の形態を有する板状部材２１が設けられており、該板状部材２１からは、右方向に向かって略円柱状の軸部２１ａが突出している（図３参照）。さらに、クランプアーム１５の外縁部近傍には、窓部１０を中心として左右対称となるように、略四角形状の四角孔２２が左右一対設けられている（図３参照）。また、図３に示すように、クランプアーム１５における前方の左端部からは、前方に向かって左延出部２３が延出しており、その先端には下方に向かって山なりに折り曲げられた左折曲部２４が設けられている。さらに、図３に示すように、クランプアーム１５における前方の右端部からは、前方に向かって略Ｊの字状に屈曲する右延出部２５が延出しており、その先端には下方に向かって山なりに折り曲げられた右折曲部２６が設けられている。
【００２９】
また、図３および図４に示すように、クランプアーム１５における左側の四角孔２２と隣接する位置には、小径にて上方に向かって押し出し加工された支点部２７が設けられている。さらに、支点部２７の右方には、矩形状の形態を有する矩形孔２８が形成されている。また、矩形孔２８の右斜め前方と右斜め後方には、支点部２７を中心として略円弧状に切り欠かれた前円弧孔３０と後円弧孔３１が形成されている。さらに、後円弧孔３１の右側には、後円弧孔３１よりも幅広の略円弧状の形態を有する幅広円弧孔３２が形成されている。
【００３０】
上述したように、トリガーアーム１７は、クランプアーム１５における左斜め後方に取り付けられている。図１および図４に示すように、トリガーアーム１７は略円弧状の形態を有している。トリガーアーム１７における周方向の中央部近傍には、略矩形状の長穴３３が形成されている（図４参照）。この長穴３３にクランプアーム１５の支点部２７が隙間Ｈを有して挿入されることによって、トリガーアーム１７はクランプアーム１５に対して水平方向にガタツキを有した状態で回動可能に支持されている。また、図４に示すように、トリガーアーム１７の右端部には前方に向かって突出する凸部３４が設けられており、該凸部３４からは略円柱状の形態で下方に向かって突出する当接部３５が設けられている（図５参照）。このため、搬入されてきた光ディスクＡが当接部３５に当接し、該当接部３５を後方に向かって押し動かすことで、トリガーアーム１７は支点部２７を略中心として、図４中の矢示Ｆ方向へ回動可能となる。
【００３１】
また、図４に示すように、凸部３４には右方に向かって突出する右方突起３４ａが形成されている。この右方突起３４ａはトリガーアーム１７の上端面よりも一段低い位置から右方に突出している。このため、右方突起３４ａはクランプアーム１５に設けられる細長延出部２０の下側に入り込んでいる。したがって、トリガーアーム１７は上下方向にガタつくことなく安定した状態で回動することが可能となる。また、図４に示すように、凸部３４の左側には、鉤形状をした引掛部３６が前方に向かって突出している。この引掛部３６と窓部１０に設けられた引掛部１９との間には、トリガーアーム１７をクランパ１６側に付勢する付勢部材３７が取り付けられている。本実施の形態では、付勢部材３７としては引張コイルバネが使用されている。このため、トリガーアーム１７は、長穴３３を略中心として、常時、時計方向に付勢されることになる。
【００３２】
引掛部３６の左斜め後方の前後の２箇所の位置には、下方に延出した後、さらに左側に延出する略鉤状の形態を有する前側係合部３８ａおよび後側係合部３８ｂがそれぞれ形成されている。これら係合部３８ａ，３８ｂは矩形状の形態を有する孔の右側の内周面から下方に向かって延出するように形成されている（図４参照）。図５に示すように、後側係合部３８ｂは後円弧孔３１の内側の平板状の領域となる後側被係合部３１ａに嵌まっている。後側被係合部３１ａの後端部近傍には、支点部２７側に向かって一段低くなるように切り欠かれた段差部３１ｂが形成されている。一方、前側係合部３８ａは前円弧孔３０の内側の平板状の領域となる前側被係合部３０ａに嵌まっている。前側被係合部３０ａの前端部近傍にも、支点部２７側に向かって一段低くなるように切り欠かれた段差部３０ｂが形成されている。このように、係合部３８ａ，３８ｂが被係合部３０ａ，３１ａにそれぞれ嵌まることによって、トリガーアーム１７はクランプアーム１５から外れることなく、長穴３３を略中心として周方向に回動することが可能となる。
【００３３】
図４に示すように、長穴３３と係合部３８ａ，３８ｂとの間には略Ｕ字状に切り欠かれることによって、前方に向かって細長く伸びるような形態を有する細状部４０が形成されている。図５に示すように、細状部４０の先端には略円柱状の形態で下方に向かって突出する規制凸部４１が設けられている。この規制凸部４１が矩形孔２８の前方側の内周面２８ａと当接することによってトリガーアーム１７の前方への回動が規制される。また、トリガーアーム１７の後端部には下方に向かって突出する下方突起３９が設けられており、該下方突起３９は幅広円弧孔３２の内部に遊挿されている。この下方突起３９が幅広円弧孔３２の後方側の内周面３２ａと当接することによってトリガーアーム１７の後方への回動が規制される。すなわち、トリガーアーム１７の回動範囲は、規制凸部４１と下方突起３９によって規制されていることになる。
【００３４】
図８は、図２中の一点鎖線Ｃで囲んだ部分を拡大した図であり、トリガースライダ１８がロッド４２に当接している状態を示す図である。図９は、図２中の一点鎖線Ｃで囲んだ部分を拡大した図であり、トリガースライダ１８がロッド４２との当接から解放されている状態を示す図である。図１０は、図１中のトリガーアーム１７の動作を表側から見た状態を説明するための図であり、実線は光ディスクＡを挿入する前のトリガーアーム１７の状態を示す図であり、二点鎖線はトリガーアーム１７がクランプアーム１５に対してロックされた状態を示す図である。図１１は、図３中のトリガーアーム１７の動作を裏側から見た状態で説明するための図であり、実線は光ディスクＡを挿入する前のトリガーアーム１７の状態を示す図であり、二点鎖線はトリガーアーム１７がクランプアーム１５に対してロックされた状態を示す図である。図１２は、図２中のトリガースライダ１８の動作を説明するための図であり、実線は光ディスクＡを挿入する前のトリガースライダ１８の状態を示す図であり、二点鎖線はトリガーアーム１７がクランプアーム１５に対してロックされた際のトリガースライダ１８の状態を示す図である。
【００３５】
図３および図５に示すように、トリガーアーム１７の左端には、棒状の形態で下方に向かって突出するロッド４２が設けられている。ロッド４２の外周面からは長穴３３の方向に向かって鍔部４７が延出している。この鍔部４７はロッド４２の軸方向に沿って略平板状に形成されている。なお、鍔部４７の根元部分は、不図示の隙間を有しており、当該隙間にクランプアーム１５の左端側の領域４４が入り込むことができるような構成となっている。図２および図８等に示すように、ロッド４２は再生デッキ３の裏側まで到達している。
【００３６】
光ディスクＡがスロット４に挿入されると、光ディスクＡがトリガーアーム１７の当接部３５に当接し、光ディスクＡが当接部３５を後方へ押し動かす。このため、トリガーアーム１７は付勢部材３７の付勢力に抗して図４および図５の状態から矢示Ｆ方向に回動し、図６および図７の状態へ移行していく。すなわち、図１０および図１１の実線の状態から二点鎖線の状態に移行していく。この際、後述するように、トリガーアーム１７は長穴３３中に形成される隙間Ｈ分だけ左方向にスライドする。また、ロッド４２はトリガーアーム１７と一体に設けられているため、ロッド４２もトリガーアーム１７の矢示Ｆ方向への回動に伴って周方向へ回動する。
【００３７】
図２に示すように、トリガースライダ１８は再生デッキ３の裏側における右斜め後方に配設されている。このトリガースライダ１８はバネ４３によって後方側に向かって付勢されている。このため、図８に示すように、トリガースライダ１８はロッド４２に当接し、該ロッド４２を後方に向かって押圧している。したがって、トリガーアーム１７には、付勢部材３７およびバネ４３の双方から時計方向に向かう付勢力が作用する。このため、スロット４に挿入された光ディスクＡが、当接部３５に当接して、トリガーアーム１７を後方へ押し動かすと、トリガーアーム１７は付勢部材３７およびバネ４３の付勢力に抗して反時計方向（矢示Ｆ方向）に回動する。
【００３８】
このように、トリガーアーム１７が矢示Ｆ方向に回動すると、トリガースライダ１８はロッド４２と当接した状態で、図８の状態から前方へと移動する。すなわち、ロッド４２がバネ４３の付勢力に抗してトリガースライダ１８を前方に押し動かす。この状態では、ロッド４２には、バネ４３の付勢力が図８における後方に向かって作用し続けている。したがって、トリガーアーム１７には、図６に示すように、付勢部材３７からの付勢力である矢示Ｄ方向への力と、バネ４３からの付勢力である矢示Ｅ方向への力が作用する。
【００３９】
このため、光ディスクＡが搬送されている状態では、トリガーアーム１７は、付勢部材３７からの付勢力である矢示Ｄ方向への力およびバネ４３からの付勢力である矢示Ｅ方向への力に抗して、図４の状態から矢示Ｆ方向に回動していく。この際、前側係合部３８ａは、前側被係合部３０ａに嵌まった状態で後方に向かって周方向に移動する。後側係合部３８ｂも後方に向かって周方向に移動し、後側被係合部３１ａの先端部が段差部３１ｂに差しかかった状態となる。このとき、後側係合部３８ｂは図７や図１１の実線の状態とは異なり、段差部３１ｂに完全に係合して（引っ掛かって）いない。これは、トリガーアーム１７には、バネ４３からの矢示Ｅ方向の力が作用しており、該バネ４３のバネ定数の方が付勢部材３７のバネ定数よりも大きく設定されているためである。このように、バネ４３からの付勢力がトリガーアーム１７に作用している限り、後側係合部３８ｂが段差部３１ｂに完全に係合する（引っ掛かる）ことはなく、トリガーアーム１７がトリガースライダ１８に対して位置決めされること、すなわち周方向への回動動作がロックされることはない。
【００４０】
また、上述したように、再生デッキ３の左右両側には、前後方向にスライド可能な左スライド部材４５および右スライド部材４６がそれぞれ設けられている。そして、光ディスクＡがクランプされる際には、左スライド部材４５は最も前方の位置まで移動するため、この動作に伴ってトリガースライダ１８は前方に移動する。このため、クランプする際には、図９および図１２の二点鎖線で示すように、トリガースライダ１８はロッド４２から離間した状態となる。この状態では、トリガーアーム１７には、付勢部材３７からの付勢力である矢示Ｄ方向の力のみが作用し、バネ４３からの付勢力である矢示Ｅ方向の力は作用しない。したがって、トリガーアーム１７には、矢示Ｄ方向の力のうち左方向への成分が作用し、該トリガーアーム１７は図４および図１０に示す隙間Ｈを埋める方向である、図６の矢示Ｅ方向とは逆の方向にスライドする。その結果、図７および図１１の二点鎖線に示すように、後側係合部３８ｂが段差部３１ｂに嵌まりこむ（引っ掛かる）。このため、トリガーアーム１７はクランプアーム１５に対して位置決めされ、時計方向に移動することがなくなる。すなわち、時計方向への回動がロックされた状態となる。
【００４１】
次に、直径８ｃｍの光ディスクＡがスロット４から挿入された後の動作について説明する
【００４２】
図１に示すように、光ディスクＡはスロット４から挿入される。光ディスクＡがスロット４に挿入される際には再生デッキ３のクランパ１６は上がった状態に維持されている。光ディスクＡがスロット４の内部に挿入されると、該光ディスクＡは、再生デッキ３内をディスクガイド５によって案内されながらクランプ位置に向かって搬送されていく。光ディスクＡがクランプ位置に向かって搬送されていくと、該光ディスクＡはトリガーアーム１７の凸部３４に設けられる当接部３５に当接する。
【００４３】
その後、光ディスクＡは当接部３５を後方に押し動かし、クランプ位置まで移動していく。すなわち、トリガーアーム１７は、光ディスクＡに押圧され、付勢部材３７およびバネ４３の付勢力に抗して、図１０および図１１の矢示Ｆ方向に回動していく。具体的には、トリガーアーム１７は、支点部２７を中心として、図１０および図１１の実線の状態から矢示Ｆ方向へ回動していく。この回動動作中、ロッド４２は、図１２の実線で示すように、トリガースライダ１８に当接している。このため、トリガーアーム１７が図１０および図１１の矢示Ｆ方向に回動する際、トリガースライダ１８はロッド４２と当接した状態で、図１２の実線の状態から前方へと移動する。したがって、ロッド４２には、バネ４３の付勢力が図８における後方に向かって作用し続けることになる。このように、ロッド４２がトリガースライダ１８と当接した状態でトリガーアーム１７が矢示Ｆ方向に回動するため、トリガーアーム１７には、図６に示すように、付勢部材３７からの付勢力である矢示Ｄ方向への力と、バネ４３からの付勢力である矢示Ｅ方向への力が作用する。
【００４４】
一方、光ディスクＡが当接部３５に当接した直後の状態では、図１１の実線で示すように、各係合部３８ａ，３８ｂは各被係合部３０ａ，３１ａに嵌まっている。上述したように、光ディスクＡが当接部３５を押圧して、トリガーアーム１７が矢示Ｆ方向へ回動していく際、トリガーアーム１７には、図６に示すように、矢示Ｄ方向の力と矢示Ｅ方向の力が作用する。したがって、この状態では、トリガーアーム１７は長穴３３を中心として周方向に移動するのみで、隙間Ｈを埋めるように左方向へはスライドしない。このため、後側係合部３８ｂが段差部３１ｂに嵌まりこむことはなく、クランプアーム１５に対する位置決め、すなわちトリガーアーム１７の周方向への回動のロックはなされない。ここで、左スライド部材４５が最も前方の位置まで移動すると共に、右スライド部材４６が最も後方の位置まで移動して、クランプがなされると、トリガースライダ１８はロッド４２から離間する方向に移動して、図１２の二点鎖線で示す状態となる。すると、トリガーアーム１７にはバネ４３からの付勢力が作用しなくなり、トリガーアーム１７には図６の矢示Ｄ方向の力のみが作用する状態となる。したがって、トリガーアーム１７には、矢示Ｄ方向の力のうち左方向への成分が作用し、該トリガーアーム１７は図１０に示す隙間Ｈを埋める方向である図６の矢示Ｅ方向とは逆の方向にスライドする。このため、図１１の二点鎖線で示すように、後側係合部３８ｂが段差部３１ｂに嵌まり込み、トリガーアーム１７はクランプアーム１５に対して位置決めされ、時計方向への回動がロックされる。
【００４５】
以上のように構成されたディスク装置１のディスクローディング機構１２では、トリガーアーム１７の当接部３５が光ディスクＡの外周部に当接することによって、光ディスクＡを再生位置に位置決めしている。このため、付勢部材３７によってトリガーアーム１７が光ディスクＡ側に付勢されても、トリガーアーム１７が光ディスクＡの記録面側に入り込むことがない。したがって、光ディスクＡの記録面に傷がつくのを防止できる。
【００４６】
また、ディスクローディング機構１２では、付勢部材３７の横方向への力を利用して、該トリガーアーム１７をスライドさせ、後側係合部３８ｂを段差部３１ｂに係合させている。すなわち、付勢部材３７の付勢力でトリガーアーム１７をスライドさせて、該トリガーアーム１７のクランプアーム１５に対する周方向への回動をロックしている。このため、クランプアーム１５以外の部品を用いずにトリガーアーム１７をクランプ位置に位置決めすることができる。このため、他の部品の影響を受けることがなく、単純な構成によってトリガーアーム１７の周方向への回動をロックすることが可能となる。したがって、光ディスクＡのクランプ位置への位置決め精度の低下を防止することができる。
【００４７】
また、ディスクローディング機構１２では、トリガーアーム１７が光ディスクＡの記録面側に入り込むことがないため、トリガーアーム１７が温度等の影響でクリープ変形することがなくなる。このため、トリガーアーム１７が光ディスクＡから離れる際に異音が発生するのを防止できる。
【００４８】
また、ディスクローディング機構１２では、クランプ時以外はロッド４２をトリガースライダ１８に接触させ、クランプ時にはロッド４２をトリガースライダ１８から離間させる構成としている。このため、クランプ時に確実にトリガーアーム１７をスライドさせて、該トリガーアーム１７をクランプアーム１５に対して位置決めすることが可能となる。
【００４９】
また、ディスクローディング機構１２では、細状部４０に設けられる規制凸部４１を矩形孔２８の内周面２８ａに当接させると共に、下方突起３９を幅広円弧孔３２の内周面３２ａに当接させることによって、トリガーアーム１７の回動を規制している。このため、単純な構成で、正確に光ディスクＡをクランプ位置まで搬送することが可能となる。
【００５０】
以上、本発明の一実施の形態について説明したが、本発明は上述の形態に限定されることなく、種々変形した形態にて実施可能である。
【００５１】
上述の実施の形態では、付勢部材３７としては引張コイルバネが用いられているが、付勢部材３７は引張コイルバネに限定されるものではなく、例えば、板バネ、捻りコイルバネもしくはスポンジ等の他の弾性部材を用いても良い。また、圧縮バネを用いてトリガーアーム１７を前方に向かって付勢するような構成にしても良い。また、付勢部材３７とは別にトリガーアーム１７を左方向に付勢する付勢部材を配設して、トリガーアーム１７を確実に左方にスライドさせるような構成としても良い。
【００５２】
また、上述の実施の形態では、後側係合部３８ｂを段差部３１ｂに引っ掛かけることによって、トリガーアーム１７をクランプアーム１５に対して位置決めさせているが、このような構成に限定されるものではなく、例えば、前側被係合部３０ａに段差部を設け、前側係合部３８ａを該段差部に引っ掛けることによって、トリガーアーム１７をクランプアーム１５に対して位置決めするようにしても良い。また、前側被係合部３０ａおよび後側被係合部３１ａの双方に段差部を設けるようにしても良い。
【００５３】
また、上述の実施の形態では、トリガーアーム１７はクランプアーム１５の左後方に設けられているが、トリガーアーム１７の配設位置は当該部位に限定されるものではなく、例えば、クランプアーム１５の右後方に配設するようにしても良い。
【符号の説明】
【００５４】
１…ディスク装置  １２…ディスクローディング機構  １５…クランプアーム  １７…トリガーアーム  １８…トリガースライダ  ３１…後円弧孔（円弧孔）  ３１ａ…後被係合部（被係合部）  ３１ｂ…段差部  ３７…付勢部材  ３８ｂ…後係合部（係合部）  ４２…ロッド  Ａ…光ディスク（ディスク媒体）  Ｈ…隙間
【図１】
2010176758.tif 000003
【図２】
2010176758.tif 000004
【図３】
2010176758.tif 000005
【図４】
2010176758.tif 000006
【図５】
2010176758.tif 000007
【図６】
2010176758.tif 000008
【図７】
2010176758.tif 000009
【図８】
2010176758.tif 000010
【図９】
2010176758.tif 000011
【図１０】
2010176758.tif 000012
【図１１】
2010176758.tif 000013
【図１２】
2010176758.tif 000014